(57)【要約】【課題】本発明はネットワークリソースの浪費を減少するために、ＢＳＲ（バッファ状態報告）をトリガーするタイマーを処理する方法及び装置を提供する。【解決手段】方法は、ＢＳＲをトリガーするタイマーを起動する段階と、ＴＴＩ（送信時間間隔）にＳＰＳ（セミパーシステントスケジューリング）アップリンクグラントが割り当てられていれば、タイマーを再起動する段階とを含む。【選択図】図５
2010081597.tif 000002
【特許請求の範囲】
【請求項１】
無線通信システムのＵＥ（ユーザー端末）においてＢＳＲ（バッファ状態報告）をトリガーするタイマーを処理する方法であって、
前記ＢＳＲをトリガーするタイマーを起動する段階と、
ＴＴＩ（送信時間間隔）にＳＰＳ（セミパーシステントスケジューリング）アップリンクグラントが割り当てられていれば、前記タイマーを再起動する段階とを含む、ＢＳＲをトリガーするタイマーの処理方法。
【請求項２】
前記ＢＳＲは前記タイマーが終了し、かつ前記ＵＥにアップリンク伝送予定のデータがあった場合にトリガーされる、請求項１に記載のＢＳＲをトリガーするタイマーの処理方法。
【請求項３】
前記ＢＳＲはレギュラーＢＳＲである、請求項１または２に記載のＢＳＲをトリガーするタイマーの処理方法。
【請求項４】
前記タイマーは再送ＢＳＲタイマー（ＲＥＴＸ＿ＢＳＲ＿ＴＩＭＥＲ）である、請求項１から３の何れか１項に記載のＢＳＲをトリガーするタイマーの処理方法。
【請求項５】
無線通信システムのＵＥにおいてＢＳＲをトリガーするタイマーを処理するための通信装置であって、
処理方法を実行するＣＰＵ（中央処理装置）と、
前記ＣＰＵに結合され、前記処理方法を記憶する記憶装置とを含み、前記処理方法は、
前記ＢＳＲをトリガーするタイマーを起動する段階と、
ＴＴＩにＳＰＳアップリンクグラントが割り当てられていれば、前記タイマーを再起動する段階とを含む、通信装置。
【請求項６】
前記ＢＳＲは前記タイマーが終了し、かつ前記ＵＥにアップリンク伝送予定のデータがあった場合にトリガーされる、請求項５に記載の通信装置。
【請求項７】
前記ＢＳＲはレギュラーＢＳＲである、請求項５または６に記載の通信装置。
【請求項８】
前記タイマーは再送ＢＳＲタイマー（ＲＥＴＸ＿ＢＳＲ＿ＴＩＭＥＲ）である、請求項５から７の何れか１項に記載の通信装置。
【発明の詳細な説明】
【技術分野】
【０００１】
本発明はＢＳＲ（Ｂｕｆｆｅｒ  Ｓｔａｔｕｓ  Ｒｅｐｏｒｔ、バッファ状態報告）をトリガーするタイマーを処理する方法及び通信装置に関し、特に無線通信システムのＵＥ（ユーザー端末）においてＢＳＲをトリガーするタイマーを処理し、ネットワークリソースの浪費を解消する方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）通信プロトコル層とＭＡＣ（媒体アクセス制御）通信プロトコル層は基地局（ノードＢ）とＲＮＣ（無線ネットワークコントローラ）に別々に設けなくてもよく、同一の通信ネットワークエンティティー（例えば基地局（ノードＢ））に統合できるので、システム構造が比較的に簡単である。
【０００３】
３ＧＰＰ  ＴＳ  ３６．３２１  Ｖ８．３．０仕様によれば、ＬＴＥ無線通信システムにおけるＢＳＲプロセスは、ＵＥのアップリンクバッファのデータ量情報をネットワークに提供する。ＢＳＲがトリガーされると、ＲＬＣ（無線リンク制御）層とＰＤＣＰ（パケットデータコンバージェンスプロトコル）層のすべて伝送可能なデータ量情報を含むＢＳＲ  ＭＡＣ制御要素（バッファ状態報告媒体アクセス制御制御要）が生成される。伝送可能なアップリンクデータがＵＥの伝送バッファに着信し、かつ同データの優先順位がＵＥの伝送バッファにある既存のデータより高い場合では、ＢＳＲがトリガーされる。このようなＢＳＲは一般にレギュラーＢＳＲと呼ばれる。ＢＳＲがトリガーされたが、グラント（ｇｒａｎｔ）がなかった場合では、スケジューリングリクエスト（ＳＲ）プロセスを起動し、ネットワークからアップリンクグラントを求めてＢＳＲを送信する。現ＴＴＩ（送信時間間隔）において、ＵＥにアップリンク伝送用のアップリンクグラントがなかった場合では、レギュラーＢＳＲでＳＲトプロセスをトリガーするしかない。
【０００４】
ＵＥからＢＳＲをネットワークに送信した後、ネットワークはＢＳＲを正常に受信できず、アップリンクグラントをＵＥに割り当てない場合がある。この場合、ＢＳＲのトリガー条件が再び満たされない限り（例えば他に優先順位の高い伝送可能なアップリンクデータがＵＥの伝送バッファに入らなかった場合）、ＵＥはグラントを持たず、デッドロック状態に入るのを余儀なくされる。このような問題を解決するために、従来の技術ではＢＳＲ再送メカニズムが導入されている。ＢＳＲ再送は、再送ＢＳＲタイマー（Ｒｅｔｒａｎｓｍｉｓｓｉｏｎ  ＢＳＲ  Ｔｉｍｅｒ）ＲＥＴＸ＿ＢＳＲ＿ＴＩＭＥＲを利用し、ネットワークでのＢＳＲの正常受信を確保する。ＵＥは、ＢＳＲを送信するとともに再送ＢＳＲタイマーを起動する。ネットワークから新規伝送のために割り当てられたグラントを受信すれば、ネットワークがＢＳＲを正常に受信したと判明する。この場合、ＵＥは再送ＢＳＲタイマーを再起動し、再送ＢＳＲタイマーが終了するのを防ぐ。再送ＢＳＲタイマーの終了時、ＵＥの伝送バッファ内に伝送可能なアップリンクデータがあれば、ＢＳＲを再送する。再送されるＢＳＲはレギュラーＢＳＲとみなされる。
【０００５】
ＬＴＥ無線通信システムにはダイナミックスケジューリング（ＤＳ）とセミパーシステントスケジューリング（ＳＰＳ）という２種類のスケジューリング方式がある。ＤＳによれば、ネットワークはＵＥの流量とＱｏＳ（サービス品質）に基づいて、データ送受信用のグラントをＵＥにダイナミックに割り当てる。ＳＰＳによれば、ネットワークは、データを周期的に生成する上位層アプリケーション（例えばＶｏＩＰ（ボイス・オーバー・インターネット・プロトコル））にサービスを提供するために、一定の周期で一定のグラントをＵＥに割り当てることで、ネットワークがＰＤＣＣＨ（物理ダウンリンク制御チャネル）で制御情報を送信するのを抑制し、システムスケジューリング効率を向上させる。言い換えれば、ＳＰＳは一定の周期で一定のグラントをＵＥに与えるので、ＵＥはＰＤＣＣＨをモニターして、ネットワークから割り当てられたグラントを受信しなくても、周期的な伝送を行うことができる。
【０００６】
図１を参照する。図１は従来のＳＰＳにおける再送ＢＳＲタイマーの動作を表す説明図である。前述のように、ＳＰＳは一定のアップリンクグラントを一定の周期で（例えば時点Ａ、Ｂ、Ｃ、Ｅ）ＵＥに割り当てる。仮にＵＥが時点ＡにＢＳＲをネットワークに送信し、再送ＢＳＲタイマーを起動するとすれば、ＳＰＳによれば、ＵＥには既にデータ送信用のアップリンクグラントが割り当てられているので、ネットワークはそれ以上アップリンクグラントをＵＥに割り当てない場合がある。しかし、再送ＢＳＲタイマーの動作によれば、再送ＢＳＲタイマーの終了時（例えば時点Ｄ）まで新規伝送用のアップリンクグラントを受信しなければ、ＵＥはＢＳＲを再送し、ＳＲプロセスをトリガーする。このようにＵＥは不必要な動作を実行するので、ネットワークリソースは無駄にされる。
【発明の概要】
【発明が解決しようとする課題】
【０００７】
本発明はネットワークリソースの浪費を減少するために、ＢＳＲをトリガーするタイマーを処理する方法及び装置を提供することを課題とする。
【課題を解決するための手段】
【０００８】
本発明では、無線通信システムのＵＥ（ユーザー端末）においてＢＳＲ（バッファ状態報告）をトリガーするタイマーを処理する方法を開示する。同方法は、ＢＳＲをトリガーするタイマーを起動する段階と、ＴＴＩ（送信時間間隔）にＳＰＳ（セミパーシステントスケジューリング）アップリンクグラントが割り当てられていれば、タイマーを再起動する段階とを含む。
【０００９】
本発明では更に、無線通信システムのＵＥにおいてＢＳＲをトリガーするタイマーを処理するための通信装置を開示する。同通信装置は、処理方法を実行するＣＰＵ（中央処理装置）と、ＣＰＵに結合され、処理方法を記憶する記憶装置とを含む。処理方法は、ＢＳＲをトリガーするタイマーを起動する段階と、ＴＴＩにＳＰＳアップリンクグラントが割り当てられていれば、タイマーを再起動する段階とを含む。
【図面の簡単な説明】
【００１０】
【図１】従来のＳＰＳにおける再送ＢＳＲタイマーの動作を表す説明図である。
【図２】無線通信システムを表す説明図である。
【図３】無線通信装置のブロック図である。
【図４】図３に示すプログラムを表す説明図である。
【図５】本発明による方法のフローチャートである。
【発明を実施するための形態】
【００１１】
かかる方法及び装置の特徴を詳述するために、具体的な実施例を挙げ、図を参照にして以下に説明する。
【００１２】
図２を参照する。図２は無線通信システム１０００を表す説明図である。無線通信システム１０００は望ましくはＬＴＥシステムであり、概してネットワークと複数のＵＥ（ユーザー端末）を含む。図２に示すネットワークとＵＥは無線通信システム１０００の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１３】
図３を参照する。図３は無線通信装置１００のブロック図である。無線通信装置１００は図２に示すＵＥを実施するために用いられる。説明を簡素化するために、図３では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８を用いて記憶装置１１０に記憶されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１４】
図４を参照する。図４は図３に示すプログラム１１２を表す説明図である。プログラム１１２はアプリケーション層２００と、第三層インターフェイス２０２と、第二層インターフェイス２０６とを含み、第一層インターフェイス２１８に接続されている。第三層インターフェイス２０２はＲＲＣ（無線リソース制御）層インターフェイスを含み、リソース制御を実施する。第二層インターフェイス２０６はＰＤＣＰ（パケットデータコンバージェンスプロトコル）層インターフェイスとＭＡＣ（媒体アクセス制御）層インターフェイスを含み、リンク制御を実施する。第一層インターフェイス２１８は物理接続を実施する。
【００１５】
ＬＴＥ無線通信システムでは、ＳＰＳ（セミパーシステントスケジューリング）が起動された状態でＢＳＲプロセスを実行するとき、ＵＥに一定の周期のアップリンクグラントが割り当てられているため、ネットワークがＵＥにグラントを割り当てないにもかかわらず、再送ＢＳＲタイマーＲＥＴＸ＿ＢＳＲ＿ＴＩＭＥＲが終了まで動作し、ＢＳＲ再送とスケジューリングリクエスト（ＳＲ）プロセスをトリガーすることがありうる。それに鑑みて、本発明の実施例では、ＳＰＳが起動された場合にＵＥが不必要なＢＳＲ再送を実行するのを防ぐために、前記プログラム１１２にタイマー処理プログラム２２０を設ける。図５を参照する。図５は本発明による方法５０のフローチャートである。下記方法５０は無線通信システム１０００のＵＥでのＢＳＲをトリガーするタイマーの処理に用いられる。
【００１６】
ステップ５００：開始。
ステップ５０２：ＢＳＲをトリガーするタイマーを起動する。
ステップ５０４：ＴＴＩ（送信時間間隔）にＳＰＳアップリンクグラントが割り当てられていれば、前記タイマーを再起動する。
ステップ５０６：終了。
【００１７】
以上のように、ＵＥはまずＢＳＲをトリガーするタイマーを起動する。このタイマーとして再送ＢＳＲタイマーが望ましい。次に、ＵＥはＳＰＳアップリンクグラントが割り当てられたＴＴＩに、前記タイマーを再起動し、タイマーの終了により不必要なＳＲプロセスとＢＳＲを実行するのを防ぐ。
【００１８】
前記タイマーが終了し、かつＵＥの伝送バッファにアップリンク伝送予定のデータがあった場合では、ＢＳＲがトリガーされる（すなわちＢＳＲの再送が行われる）。このようなＢＳＲは一般にレギュラーＢＳＲである。
【００１９】
前述のように、ＳＰＳの起動時、ＵＥにデータ伝送用のＳＰＳアップリンクグラントが割り当てられているため、ネットワークはそれ以上アップリンクグラントをＵＥに割り当てない場合がある。そうすれば、再送ＢＳＲタイマーの終了時までネットワークから割り当てられるアップリンクグラントを受信できなければ、ＵＥは不必要な動作を実行し（例えばＳＲプロセスとＢＳＲの再送をトリガーする）、ネットワークリソースはそれによって無駄にされる。それに鑑みて、本発明の実施例によるＵＥは、ＳＰＳアップリンクグラントが割り当てられたＴＴＩにタイマーを再起動するので、タイマーの終了により不必要なＳＲプロセスとＢＳＲを実行するのを防ぐことができる。
【００２０】
まとめて言えば、本発明の実施例では、不必要なＳＲプロセスとＢＳＲを実行するのを防ぎ、ネットワークリソースの使用効率を向上させるために、ＢＳＲをトリガーするタイマーの処理方法を提供する。
【００２１】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００２２】
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  タイマー処理プログラム
１０００  無線通信システム
【図１】
2010081597.tif 000003
【図２】
2010081597.tif 000004
【図３】
2010081597.tif 000005
【図４】
2010081597.tif 000006
【図５】
2010081597.tif 000007